(57)【特許請求の範囲】
【請求項１】
旋回台上に、原動機部と、原動機部により作動される作業部と、作業部や車体を運転・操作する運転部と、原動機部に燃料油を供給する燃料油タンクと、燃料油タンクに燃料油を自動的に供給する自動給油装置と、作業部に作動油を供給する作動油タンクと、を配設した作業車であって、
原動機部と燃料油タンクとの間には、作動油タンクを介在させて配設し、
作動油タンクと燃料油タンクとの間には、一定の間隔をあけて収容空間を形成し、
収容空間内には、自動給油装置を収容して、原動機部から燃料油タンクを離隔させて配置し、
自動給油装置は、収容空間内に配置した装置ケースと、装置ケースに支持され、吸入口及び吐出口を有する燃料供給ポンプと、燃料供給ポンプの吸入口に基端部が接続され、装置ケース内に収容された吸入パイプと、燃料供給ポンプの吐出口に基端部が接続され、装置ケース内に収容された供給パイプと、を具備し、
装置ケースは、前後幅が短幅で、左右幅が燃料油タンクの背面幅と同等幅で、上面が開口する有底筒状に形成し、
装置ケースの一側下部には、側方と下方が開口する配置空間を切欠状に形成して、配置空間内に燃料供給ポンプを配置したことを特徴とする作業車。
【請求項２】
燃料供給ポンプは、制御部の出力側に接続され、
制御部の入力側には、燃料油タンク内に配設した油量検出手段が接続されて、油量検出手段の検出情報に基づいて制御部が燃料供給ポンプの作動を制御するようにしており、
供給パイプは、装置ケースの開口する上面を通して燃料油タンクの上面部と接続され、
燃料油タンクの上面部には、制御部を載設するための載設部を設けたことを特徴とする請求項１の作業車。
【発明の詳細な説明】
【技術分野】
【０００１】
本発明は、作業車、詳しくは、ドラム缶等の燃料供給部から燃料油タンクに燃料油を自動的に供給（補給）する自動給油装置を、燃料油タンクと作動油タンクとの間に介設した作業車に関する。
【背景技術】
【０００２】
従来、作業車の一形態として、特許文献１に開示されたものがある。すなわち、特許文献１には、旋回台の前中央部に作業部の基部を取り付け、作業部の左側方における旋回台上に運転部を配設する一方、作業部の右側方における旋回台上に自動給油装置とバッテリーケースと燃料油タンクを配設し、旋回台上の後部に原動機部を配設した作業車が開示されている。作業部の右側方に配設した自動給油装置とバッテリーケースは、左右に隣接させて旋回台上の右側前部に配置し、これらの後方に燃料油タンクを配設している。そして、燃料油タンクには、自動給油装置を連通連結しており、自動供給装置は、ドラム缶等の燃料供給部から燃料油を燃料油タンクに供給（補給）可能としている。また、旋回台上には、作動油タンクを配設して、作動油タンクから作業部に設けた油圧アクチュエータに作動油ポンプにより作動油を供給して、油圧アクチュエータを作動させるようにしている。
【先行技術文献】
【特許文献】
【０００３】
【特許文献１】特開２００２-２６６３７７号公報
【発明の概要】
【発明が解決しようとする課題】
【０００４】
ところが、上記した作業車では、旋回台上のレイアウトが煩雑になっている。すなわち、作業部は、作業性を考慮して旋回台の前部に配設する一方、原動機部は、作業部との重量バランスを考慮して旋回台上の後部に配設し、運転部は、操作性を考慮して作業部の左右いずれか一側方に位置させて旋回台上に配設し、自動給油装置とバッテリーケースと燃料油タンクと作動油タンクは、運転部との重量バランスを考慮して作業部の左右いずれか他側方に位置させて旋回台上に配設する必要性がある。この際、燃料油タンクと原動機部のエンジンないしは作動油タンクを隣接させて配置すると、エンジンないしは作動油タンクから燃料油タンクへの熱伝導により燃料油タンク内の燃料油の温度が過剰に上昇するという不具合がある。そのため、燃料油タンクは、高温化するエンジンないしは作動油タンクから離隔させて配置する必要性があり、旋回台上のレイアウトが煩雑になっている。
【０００５】
そこで、本発明は、燃料油タンク内の燃料油の過剰な温度上昇を防止するとともに、自動給油装置を旋回台上においてコンパクトにレイアウトすることができる作業車を提供することを目的とする。
【課題を解決するための手段】
【０００６】
請求項１記載の発明は、
旋回台上に、原動機部と、原動機部により作動される作業部と、作業部や車体を運転・操作する運転部と、原動機部に燃料油を供給する燃料油タンクと、燃料油タンクに燃料油を自動的に供給する自動給油装置と、作業部に作動油を供給する作動油タンクと、を配設した作業車であって、
原動機部と燃料油タンクとの間には、作動油タンクを介在させて配設し、
作動油タンクと燃料油タンクとの間には、一定の間隔をあけて収容空間を形成し、
収容空間内には、自動給油装置を収容して、原動機部から燃料油タンクを離隔させて配置し、
自動給油装置は、収容空間内に配置した装置ケースと、装置ケースに支持され、吸入口及び吐出口を有する燃料供給ポンプと、燃料供給ポンプの吸入口に基端部が接続され、装置ケース内に収容された吸入パイプと、燃料供給ポンプの吐出口に基端部が接続され、装置ケース内に収容された供給パイプと、を具備し、
装置ケースは、前後幅が短幅で、左右幅が燃料油タンクの背面幅と同等幅で、上面が開口する有底筒状に形成し、
装置ケースの一側下部には、側方と下方が開口する配置空間を切欠状に形成して、配置空間内に燃料供給ポンプを配置したことを特徴とする。
【０００７】
請求項１記載の発明では、原動機部と燃料油タンクとの間には、作動油タンクを介在させて配設し、作動油タンクと燃料油タンクとの間には、一定の間隔をあけて収容空間を形成し、収容空間内には、自動給油装置を収容して、原動機部から燃料油タンクを離隔させて配置しているため、エンジンや作動油タンクから燃料油タンクを離隔させて配置することができて、燃料油タンクへの熱伝導により燃料油タンク内の燃料油が過剰に温度上昇するのを防止することができる。しかも、自動給油装置は、旋回台上においてコンパクトにレイアウトすることができる。
また、自動給油装置が、収容空間内に配置した装置ケースと、装置ケースに支持され、吸入口及び吐出口を有する燃料供給ポンプと、燃料供給ポンプの吸入口に基端部が接続され、装置ケース内に収容された吸入パイプと、燃料供給ポンプの吐出口に基端部が接続され、装置ケース内に収容された供給パイプと、を具備しているため、収容空間内に自動給油装置を簡単にかつコンパクトに収容することができる。
また、前後幅が短幅で、左右幅が燃料油タンクの背面幅と同等幅で、上面が開口する有底筒状に形成した装置ケースの一側下部に、側方と下方が開口する配置空間を切欠状に形成して、配置空間内に燃料供給ポンプを配置しているため、燃料供給ポンプのメンテナンスを側方から簡単に行うことができる。
【０００８】
請求項２記載の発明は、請求項１記載の発明であって、
燃料供給ポンプは、制御部の出力側に接続され、制御部の入力側には、燃料油タンク内に配設した油量検出手段が接続されて、油量検出手段の検出情報に基づいて制御部が燃料供給ポンプの作動を制御するようにしており、
供給パイプは、装置ケースの開口する上面を通して燃料油タンクの上面部と接続され、
燃料油タンクの上面部には、制御部を載設するための載設部を設けたことを特徴とする。
【００１３】
請求項２記載の発明では、供給パイプが、装置ケースの開口する上面を通して燃料油タンクの上面部と接続され、燃料油タンクの上面部に、制御部を載設するための載設部を設けているため、供給パイプや制御部に接続された情報通信線を短尺化させて、配管・配線をコンパクト化することができ、配管・配線の作業性が向上するとともに、燃料油タンクへの燃料油の供給（補給）を自動給油装置により堅実に行うことができる。
【発明の効果】
【００１４】
本発明によれば、燃料油タンク内の燃料油の過剰な温度上昇を防止するとともに、自動給油装置を旋回台上においてコンパクトにレイアウトすることができる作業車を提供することができる。
【図面の簡単な説明】
【００１５】
【図１】本実施形態に係る作業車の左側面図。
【図２】本実施形態に係る作業車の右側面図。
【図３】本実施形態に係る作業車の一部切欠平面図。
【図４】旋回台上の原動機部とタンク収容部と熱交換部の斜視説明図。
【図５】タンク収容部と熱交換部の右側前方からの斜視説明図。
【図６】タンク収容部と熱交換部の左側前方からの斜視説明図。
【図７】燃料油タンク及び自動給油装置の左側面図。
【図８】燃料油タンク及び自動給油装置の右側面図。
【図９】燃料油タンク及び自動給油装置の背面図。
【図１０】燃料油タンク及び自動給油装置の平面図。
【図１１】燃料油タンク及び自動給油装置の後下方からの斜視説明図。
【図１２】カバー体の斜視説明図。
【図１３】他実施形態としての自動給油装置の斜視説明図。
【図１４】他実施形態としての自動給油装置の開蓋状態の斜視説明図。
【図１５】外気導入構造の斜視説明図。
【図１６】図１５のI-I線断面図。
【図１７】前下側窓部を通して視認可能な仮想の視界範囲を示す説明図。
【図１８】下部カバーの斜視説明図。
【図１９】旋回台の拡大左側面図。
【図２０】図１９のII-II線拡大断面図。
【図２１】旋回台の左側後部の斜視説明図。
【図２２】右側面後部カバーを開放した状態を示す斜視図。
【図２３】右側面後部カバーを開放し、右側後下部カバーを取り外した状態を示す斜視図。
【図２４】旋回台の右側前部の斜視説明図。
【図２５】駆動・停止スイッチの取付状態説明図。
【発明を実施するための形態】
【００１６】
以下に、本発明の実施形態について、図面を参照しながら説明する。図１〜図３に示すＡは、本実施形態に係る作業車であり、まず、作業車Ａの全体構成について説明し、その後に、本実施形態の特徴的な構成について説明する。
【００１７】
［作業車の全体構成についての説明］
作業車Ａは、図１〜図３に示すように、自走可能な車体１に、作業部としての掘削作業部２と排土作業部３とを備えている。そして、掘削作業部２により掘削土面の土砂等を掘削して、掘削した土砂等を所定位置に排出することができる。また、地上に山積された土砂等は、排土作業部３により排土することができる。つまり、作業車Ａは、掘削作業と排土作業を行うことができる。
【００１８】
車体１は、左右一対のクローラ式の走行部１０,１０と、両走行部１０,１０間に架設した旋回台支持部１１と、旋回台支持部１１上に旋回自在に取り付けた旋回台１２と、旋回台１２上の左側部に載設した運転部１３と、運転部１３の後下部において旋回台１２上に載設したエンジンＥ等からなる原動機部１４と、運転部１３の右側方に隣接させて旋回台１２上の右側前部に載設したタンク収容部１５と、運転部１３の右側方に隣接させて旋回台１２上の右側後部に載設した熱交換部１８と、を具備している。
【００１９】
運転部１３は、車体１や掘削作業部２や排土作業部３を運転・操作するものであり、透明な材料により箱型に形成されたキャビン１６内に配設している。運転部１３は、前部に平坦な床部５０を張設し、後部に段状の運転席支持台５１を配設し、これらの床部５０と運転席支持台５１の右側方にサイド操作部５２を配設している。
【００２０】
床部５０の前中央部には、上下方向に軸線を向けた左右一対の操向操作レバー５３,５４を起立状に設け、左側の操向操作レバー５３の左側近傍位置にブレーキペダル５５を配設する一方、右側の操向操作レバー５４の右側近傍位置にアクセルペダル５６を配設している。
【００２１】
運転席支持台５１の上面には、運転席５７を載設している。運転席５７の左側近傍位置には、左側操作レバー７０を配設する一方、運転席５７の右側近傍位置には、右側操作レバー７１を配設して、これら左・右側操作レバー７０,７１により掘削作業部２を操作可能としている。７２は、作業部を操作する操作レバーのパイロット油を、スイッチを介してカットするカットオフレバー、７３は、排土作業部３を操作する排土操作レバーである。
【００２２】
タンク収容部１５には、エンジンＥに燃料油を供給する燃料油タンク８０と、燃料油タンク８０に燃料油を自動的に供給する自動給油装置９０と、作業部に設けた油圧アクチュエータに作動油を供給する作動油タンク１００と、を前後方向に延伸する仮想同一直線上に配列して設置している。
【００２３】
熱交換部１８は、エンジンＥを冷却するための熱交換機能を有するものであり、ラジエータ６０（図４参照）や排気ファン６１（図６参照）等を具備している。そして、エンジンＥに連動して回動する排気ファン６１によりサイドグリル６２を通してエンジンルーム内の熱気を排出するようにしている。６０ａは、ラジエータキャップである。
【００２４】
上記したタンク収容部１５と熱交換部１８は、図１２に示すように、カバー体６３により前方、右側方及び上方が被覆されている。カバー体６３は、前方を被覆する右側前面カバー６４と、右側方を被覆する右側面前・後部カバー６５,６６と、上方を被覆する上面前・中途・後部カバー６７,６８,６９と、から上面前半部が前方へ下り傾斜状の湾曲面に形成している。タンク収容部１５は、右側前面カバー６４と右側面前部カバー６５と上面前・中途部カバー６７,６８とにより被覆されている。右側前面カバー６４は、その上端縁部を前方へ下り傾斜状の湾曲面に形成し、その湾曲面に沿わせて上面前・中途部カバー６７,６８を前方へ下り傾斜状の湾曲面に形成している。熱交換部１８は、右側面後部カバー６６と、上面後部カバー６９とにより被覆されている。右側面後部カバー６６には、前記したサイドグリル６２が形成されている。右側面後部カバー６６は、前端縁部を枢支点として、後端縁部側を左右方向に開閉自在としている。上面中途部カバー６８は、後端縁部を枢支点として、前端縁部側を上下方向に開閉自在としている。
【００２５】
掘削作業部２は、旋回台１２の前端部にブラケット支持体２０を設けている。ブラケット支持体２０には、ブーム支持ブラケット２１を上下方向の軸線廻りに左右揺動自在に取り付け、ブーム支持ブラケット２１と旋回台１２との間に左右揺動シリンダ１７を介設して、この左右揺動シリンダ１７によりブーム支持ブラケット２１を左右揺動可能としている。ブーム支持ブラケット２１には、上下方向に延伸させて側面視「く」字状に形成したブーム２２の基端部（下端部）を、左右方向に軸線を向けたブーム支軸２３を介して枢支連結している。ブーム支持ブラケット２１の前端部とブーム２２の中途部との間には、ブームシリンダ２４を介設して、このブームシリンダ２４によりブーム２２を上下昇降可能としている。ブーム２２の先端部（上端部）には、上下方向に直状に延伸させて形成したアーム２５の基端部（上端部）を、左右方向に軸線を向けたアーム支軸２６を介して枢支連結している。アーム２５の基端とブーム２２の中途部との間には、アームシリンダ２７を介設して、このアームシリンダ２７によりアーム２５を前後揺動可能としている。アーム２５の先端部（下端部）には、バケット２８の背面基部（前端部）に設けた左右一対のバケットブラケット２９の上部を、左右方向に軸線を向けたバケット支軸３０を介して枢支連結している。バケットブラケット２９の下部とアーム２５の基端との間には、バケットリンク機構３１を介してバケットシリンダ３２を介設して、このバケットシリンダ３２によりバケット２８を上下揺動可能としている。
【００２６】
排土作業部３は、図１〜図３に示すように、旋回台支持部１１に左右一対の排土板支持アーム４０,４０の基端部を枢支連結して、両排土板支持アーム４０,４０の先端部側を揺動自在となし、両排土板支持アーム４０,４０の先端部間には、左右方向に長手状の排土板４１を架設して、この排土板４１により排土作業が行えるようにしている。４２は排土板シリンダである。
【００２７】
［本実施形態の特徴的な構成についての説明］
次に、本実施形態の特徴的な構成について、図４〜図１２を参照しながら説明する。すなわち、タンク収容部１５では、原動機部１４のエンジンＥと燃料油タンク８０との間に、作動油タンク１００を介在させて配設し、作動油タンク１００と燃料油タンク８０との間に、一定の間隔をあけて扁平な収容空間Ｓを形成している。収容空間Ｓ内には、自動給油装置９０を収容して、原動機部１４のエンジンＥから燃料油タンク８０を離隔させて配置している。このように、作動油タンク１００と燃料油タンク８０との間に、一定の間隔をあけて扁平な収容空間Ｓを形成しているため、作動油タンク１００から燃料油タンク８０への熱伝導を効果的に防止し、燃料油タンク８０の温度上昇を防止することができる。
【００２８】
より具体的に説明すると、本実施形態では、図５に示すように、旋回台１２の中央後部に、原動機部１４のエンジンＥを左右方向に軸線を向けて搭載し、エンジンＥの右側方である旋回台１２の右側後部に熱交換部１８を配設し、熱交換部１８の前方にタンク収容部１５を配設している。タンク収容部１５には、作動油タンク１００を配置し、作動油タンク１００の前方に自動給油装置９０を配置し、そして、自動給油装置９０の前方に燃料油タンク８０を配置している。１０２は、作動油タンク１００の上に載置したエアクリーナであり、エアクリーナ１０２は、エンジンＥの吸気口に下流側吸気管１０４を介して接続している。１０６は、上流側吸気管である。このようにして、燃料油タンク８０は、旋回台１２の右側前部に配置している。そのため、エンジンＥや作動油タンク１００から燃料油タンク８０を離隔させて配置することができて、燃料油タンク８０への熱伝導により燃料油タンク８０内の燃料油が過剰に温度上昇するのを防止することができる。しかも、自動給油装置９０は、旋回台１２上においてコンパクトにレイアウトすることができる。
【００２９】
自動給油装置９０は、図５〜図１１に示すように、装置ケース９１と、燃料供給ポンプ９２と、吸入パイプ９３と、供給パイプ９４と、を具備している。装置ケース９１は、収容空間Ｓ内に配置されており、装置ケース９１には、吸入口９２ａ及び吐出口９２ｂを有する燃料供給ポンプ９２が支持されている。燃料供給ポンプ９２の吸入口９２ａには、吸入パイプ９３の基端部が接続されており、吸入パイプ９３は、装置ケース９１内に巻回状に収縮されて収容されている。燃料供給ポンプ９２の吐出口９２ｂには、供給パイプ９４の基端部が接続されており、供給パイプ９４は、装置ケース９１内を通して燃料油タンク８０の上面部に先端部を接続している。燃料供給ポンプ９２は、パーソナルコンピュータ機能を有する制御部９５の出力側に第１ワイヤハーネスＷｈ１を介して接続されている。制御部９５の入力側には、燃料油タンク８０内に配設した油量検出手段としての油量検出センサ９６が情報通信線９９を介して接続されている。Ｗｈ２は、第２ワイヤハーネスであり、制御部９５は、第２ワイヤハーネスＷｈ２を介して、電源である後述のバッテリーＢａに接続している。そして、制御部９５は、油量検出センサ９６の検出情報に基づいて、燃料供給ポンプ９２の駆動・停止作動を制御するようにしている。そのため、収容空間Ｓ内に自動給油装置９０を簡単にかつコンパクトに収容することができる。
【００３０】
燃料油タンク８０へ燃料油を供給（補給）する際には、装置ケース９１内に収容している吸入パイプ９３を取出して伸長させ、吸入パイプ９３の先端部をドラム缶等の燃料供給部に接続する。そして、制御部９５を介して燃料供給ポンプ９２を駆動制御し、油量検出センサ９６の検出情報に基づいて、燃料供給ポンプ９２を停止制御することで、自動的に給油することができる。
【００３１】
装置ケース９１は、前後幅が短幅で、左右幅が燃料油タンクの背面幅と略同等幅で、上面が開口する有底筒状に形成している。すなわち、装置ケース９１は、四角形板状の前壁部９１ａと、前壁部９１ａと略同一形状の四角形板状から左側下部を四角形状に切り欠いて形成した後壁部９１ｂと、前・後壁部９１ａ,９１ｂの左側端縁上部間に架設した左側壁上部９１ｃと、前壁部９１ａの左側下部と後壁部９１ｂの左側端縁部との間に架設した左側壁下部９１ｄと、前・後壁部９１ａ,９１ｂの右側端縁間に架設した右側壁部９１ｅと、左側壁下部９１ｄと右側壁部９１ｅとの間において、前・後壁部９１ａ,９１ｂの下端縁部間に架設した底壁部９１ｆと、から形成している。そして、装置ケース９１の左側下部（一側下部）、つまり、左側壁下部９１ｄの左側方には、左側方と下方が開口する配置空間Ｓａを切欠状に形成して、配置空間Ｓａ内に燃料供給ポンプ９２を配置するとともに、左側壁下部９１ｄに燃料供給ポンプ９２を取り付けている。そのため、燃料供給ポンプ９２のメンテナンスを左側方から簡単に行うことができる。３２６は、後壁９１ｂの上部に取り付けた後部取付ブラケットであり、後部取付ブラケット３２６を介して作動油タンク１００の上面壁に後壁９１ｂを取り付けている。
【００３２】
供給パイプ９４は、装置ケース９１の開口する上面を通して燃料油タンク８０の上面部と接続されている。燃料油タンク８０の上面部の左側後部には、制御部９５を載設するための載設部９８を設けている。そのため、供給パイプ９４や制御部９５に接続された情報通信線９９を短尺化させて、配管・配線をコンパクト化することができ、配管・配線の作業性が向上するとともに、燃料油タンク８０への燃料油の供給（補給）を自動給油装置９０により堅実に行うことができる。
【００３３】
次に、上記した特徴的な構成と、その構成の周辺の構成について、より具体的に説明する。すなわち、図４〜図６に示すように、旋回台１２の右側中途部上には、左右横長の四角形箱型に形成した作動油タンク１００を固定している。旋回台１２の右側前部には、左右方向に横長の取付体１９を設けている。取付体１９には、取付部材群３００を介して、燃料油タンク８０越しに自動給油装置９０を取り付けている。
【００３４】
取付部材群３００は、前後方向に延伸する左・右側・上部取付片３０２,３０４,３０６を具備している。左側取付片３０２は、取付体１９の左側端部に前端部を連結する一方、作動油タンク１００の前面左側部に設けた左側取付ブラケット３０８に後端部を連結している。右側取付片３０４は、取付体１９の右側端部に前端部を連結する一方、装置ケース９１の一部を形成する後壁部９１ｂの右側端縁部の中途部から前方へ延出させて形成した右側取付ブラケット３１０に後端部を連結している。上部取付片３０６は、取付体１９の中途部に前端部を連結する一方、装置ケース９１の一部を形成する前壁部９１ａの上端縁部の中途部から後方へ延出させて形成した上部取付ブラケット３１２に後端部を連結している。３１４は、旋回台１２の一部を形成する支持体であり、支持体３１４は、燃料油タンク８０を下方から支持するとともに、装置ケース９１の一部を形成する前壁部９１ａの下端縁部に後端縁部３１６を連結して、装置ケース９１の下部を支持している。３１８は、作動油タンク１００の右側壁に取り付けた後部連結ブラケットであり、後部連結ブラケット３１８には、右側面前部カバー６５の後端縁部を連結している。３２０は、後部連結ブラケット３１８に取り付けた枢支ブラケットであり、枢支ブラケット３２０には、右側面後部カバー６６の前端縁部を枢支している。３２２は、旋回台１２の前部に取り付けた前部連結ブラケットであり、前部連結ブラケット３２２には、右側面前部カバー６５の前端縁部を連結している。３２４は、装置ケース９１の底壁部９１ｆに接続した排出配管である。
【００３５】
燃料油タンク８０は、その上面部の後側中央部に給油口部８１を設けている。給油口部８１の右側方に位置する上面部の部分には、油量検出センサ９６を設けており、油量検出センサ９６は、満量の油量と最低量の油量を検出可能としている。したがって、燃料供給ポンプ９２を作動させて給油作業を行っている際に、油量検出センサ９６が満量の油量を検出すると、その検出情報に基づいて、制御部９５が自動的に燃料供給ポンプ９２の作動を停止制御するようにしている。また、油量検出センサ９６が最低量の油量を検出すると、その検出情報に基づいて、制御部９５が作業者の聴覚及び／又は視覚を刺激する報知手段（図示せず）を作動制御するようにしている。９７は、燃料油タンク８０内に出し入れ自在に挿入して、燃料油タンク８０内の燃料油の状況を検査するための検査管である。
【００３６】
旋回台１２には、図１２に示すように、前記したカバー体６３以外に、左側前面カバー２００と、左側前下部カバー２０２と、左側後下部カバー２０４と、カウンタウエイト２０６と、右側前下部カバー２０８と、右側後下部カバー２１０と、左側前上部カバー２１４と、左側中途上部カバー２１５と、左側後上部カバー２１６と、左側面カバー２１７と、後面カバー（ボンネット）２１８と、を旋回台１２の周端縁部に沿わせて配置している。
【００３７】
［他実施形態としての自動給油装置の配設構造の説明］
次に、図１３及び図１４を参照しながら、他実施形態としての自動給油装置９０Ａの配設構造について説明する。すなわち、自動給油装置９０Ａは、図１３及び図１４に示すように、自動給油装置９０の基本的構造と同様に、装置ケース９１Ａと、燃料供給ポンプ９２と、吸入パイプ９３と、供給パイプ９４と、を具備しているが、装置ケース９１Ａの構成と、装置ケース９１Ａを上面後部カバー６９の上に載置状態に連通させて取り付けている点で大きく異なる。
【００３８】
装置ケース９１Ａは、上面開口で内部に吸入パイプ９３を巻回状に収縮させて収容可能としたケース本体４００と、ケース本体４００に開閉蓋自在に取り付けた蓋体４０２と、を扁平な弁当箱状に形成している。ケース本体４００の底面部の中央部には、メンテナンス用開閉部４０４を設けて、メンテナンス用開閉部４０４を介してラジエータ６０のメンテナンスやラジエータキャップ６０ａの操作を可能としている。ケース本体４００の側面部の外側面には、制御部９５を取り付けており、制御部９５は蓋体４０２により開閉蓋自在としている。ケース本体４００の底面部の下面には、燃料供給ポンプ９２を垂下状態に取り付けている。燃料供給ポンプ９２の吸入口９２ａには、吸入パイプ９３の基端部が接続されており、吸入パイプ９３は、上面後部カバー６９に開口させて形成した第１挿通孔４０６中、さらには、ケース本体４００の側面部に開口させて形成した第２挿通孔４０８中を通してケース本体４００内に収容している。燃料供給ポンプ９２の吐出口９２ｂには、供給パイプ９４の基端部が接続されており、供給パイプ９４は、カバー体６３内を通して燃料油タンク８０の上面部に先端部を接続している。４１０は、第２ワイヤハーネスＷｈ２を挿通するために上面後部カバー６９に開口させて形成した第３挿通孔、４１２は、固定側係止片、４１４は、可動側係止片、４１６は、開閉ガイド体、４１８は、開閉取っ手、４２０は、固定側係止片４１２に可動側係止片４１４を係止・解除操作するためのキー孔である。
【００３９】
このように構成した自動給油装置９０Ａでは、作業車Ａを販売した後でも、上面後部カバー６９への取り付け（後付け）が可能である。しかも、本機既存形状の旋回半径内で視界性を低減させることなく、ラジエータ６０の定期メンテナンスが可能である。
【００４０】
［キャビンの右側部の構造］
次に、箱型に形成したキャビン１６の右側部の構造を、図２、図１５図、１６及び図１７を参照しながら説明する。すなわち、キャビン１６の右側面部５００は、その大半を四角形状の右側窓部５０２を張設して形成している。右側窓部５０２は、その下端縁部を水平直状に形成している。カバー体６３は、上面前半部が下り傾斜状の湾曲面に形成されており、その上面左側縁部と右側窓部５０２の下端縁部との間に、機能部支持壁５０４を張設しており、機能部支持壁５０４は、後方から前方へ向けて上下幅を漸次拡幅させて形成している。
【００４１】
機能部支持壁５０４の前端部には、機能部としての逆三角形状の前下側窓部５０６を設けている。前下側窓部５０６は、その上端縁部を機能部支持壁５０４の上端縁部に沿わせて直状に形成するとともに、その前端縁部を、機能部支持壁５０４の前端縁部に沿わせて直状に形成し、その前端縁部の下端と上端縁部の後端とを結ぶ斜辺を直状に形成している。前下側窓部５０６は、図１７に示すように、サイド操作部５２の前面部よりも前方に配置している。そして、運転席５７に着座して操向操作レバー５３,５４を操作するオペレータＯｐが、前下側窓部５０６を通してカバー体６３の前下方を視認可能としている。Ｌｓは、前下側窓部５０６を通して機外を視認する着座姿勢でのオペレータＯｐの視線、Ｅｓは、着座姿勢のオペレータＯｐが、前下側窓部５０６を通して機外を視認可能な仮想の視界範囲である。
【００４２】
機能部支持壁５０４の中途部には、外気Ｆａを導入する機能部としての外気導入口５０８を前後方向に延伸させて形成している。機能部支持壁５０４の内側面には、外気導入口５０８側に対面状態で開口する扁平箱型の内側導入ケース５１０を取り付ける一方、機能部支持壁５０４の外側面には、外気導入口５０８側に対面状態で開口する扁平網状箱型の外側導入ケース５１２を取り付けている。内側導入ケース５１０の前部には、連通口５１４を形成している。連通口５１４には、サイド操作部５２の前部内に連通状態に配設したフィルタケース５１６を連通連結している。フィルタケース５１６内には、外気Ｆａを浄化するフィルタ５１８を取り付けている。そして、外気Ｆａは、外側導入ケース５１２→外気導入口５０８→内側導入ケース５１０→連通口５１４→フィルタケース５１６→フィルタ５１８を通してフィルタケース５１６内に、さらには、連通するサイド操作部５２の前部内に浄化された外気Ｆａが流入するようにしている。
【００４３】
サイド操作部５２の前部は、冷房サイクル機構と暖房サイクル機構を備えた空気調和装置（これらは図示せず）の一部を構成する冷暖気放出部５２０となしている。冷暖気放出部５２０には、ヒーターコアとエバポレータを配設し、これの下方にブロアファン（これらは図示せず）を配設している。冷暖気放出部５２０の前面部には、前上方放出口部５２２を設けている。また、冷暖気放出部５２０の内側面部には、内方放出口部５２４を設けている。これらの放出口部５２２,５２４には、それぞれルーバー等の放出風の放出方向を調節可能とした第１・第２放出方向調節体５２６,５２８を設けている。５３０は、冷暖気放出部５２０の上面部に設けた表示パネルである。そして、冷房時には、ブロアファンによりフィルタケース５１６内の浄化された外気Ｆａが吸入されて、その外気Ｆａがエバポレータに圧送され、エバポレータにより冷却（熱交換）されて冷気となって、各放出口部５２２,５２４から放出されるようにしている。また、暖房時には、同様に吸入された外気Ｆａがヒーターコアに圧送され、ヒーターコアにより暖められて（熱交換されて）暖気となって各放出口部５２２,５２４から放出されるようにしている。
【００４４】
このように構成したキャビン１６の右側部では、機能部支持壁５０４の前端部に前下側窓部５０６を設けているため、運転席５７に着座して操向操作レバー５３,５４を操作するオペレータＯｐが、前下側窓部５０６を通してカバー体６３の前下方を堅実に視認することができて、オペレータＯｐの死角を減じることができる。この際、前下側窓部５０６は、前方へ下り傾斜状の湾曲面に形成したカバー体６３の上方に配置するとともに、冷暖気放出部５２０よりも前方に配置しているため、カバー体６３や冷暖気放出部５２０によってオペレータＯｐの視界性が妨げられることがない。
【００４５】
冷暖気放出部５２０は、オペレータＯｐの右側の手近な位置（脇）に配置しているため、内方放出口部５２４をオペレータＯｐの近くに短いダクトで設置でき、圧力損失を最小限に抑えることができる。そして、冷気や暖気を直接、オペレータＯｐに当てて、体を直接冷却もしくは暖房することができる。
【００４６】
前上方放出口部５２２や内方放出口部５２４は、複数を集中配置させることにより、空気調和性能を維持しながら前下側窓部５０６の設置できるスペースを確保することができるため、空気調和性能と視界を確保できる。冷暖気放出部５２０の上面部には、表示パネル５３０を設置しているため、操作性能を確保することができる。
【００４７】
従来、下記のような技術が、それぞれ下記のような課題を有しているが、前記した本実施形態では、これらの課題を全て解決することができる。すなわち、特開2009-215699には、旋回台上に運転席を覆うキャビンに隣接してボンネットを配設し、キャビン内に空気調和装置を配設し、キャビンの側壁下部で、かつ、空気調和装置に対向する部分の位置に、外気導入孔を備えた旋回作業車が開示されている。ところが、視界を良好に確保するために、ボンネット側のキャビンの側面下部の側壁に窓を設置すると、空気調和装置が視界を遮ることから窓の設置ができない。そのため、バックホーのボンネットの下方に死角が生じる。
【００４８】
特開2005-297614には、運転席の着座シート部の下側に冷却保温ボックスを設けると共に、冷却保温ボックスの内部とエアコンユニットのエアダクトの内部との間を、通風パイプを介して連結した建設機械が開示されている。ところが、エアコンユニットとエア排出口が座席の後部にあるため、オペレータの顔や体に冷却された空気が直接あたらない、という不具合がある。
【００４９】
特開2011-169045には、エア排出口をオペレータの近くに設置して、直接、オペレータにエアを当てることで、体を直接冷却できる旋回作業車が開示されている。ところが、エアコンユニットが座席の下にあることからダクトの距離がのび圧力損失が大きくなり、エネルギー損失が大きくなる、という不具合がある。
【００５０】
特開2009-215699には、外気導入孔の上方及び側方を覆う少なくとも一つのルーバーを備えた旋回作業車が前記開示されている。ところが、空気調和装置の空調性能を維持するためには、一定量の通気量を確保する必要があり、複数の通気孔を設けると、それらに対して複数のルーバーを取り付ける必要があるため、製造コストが上昇するという問題がある。
【００５１】
［旋回台の周縁部を被覆する下部カバーの構造の説明］
旋回台１２の周縁部を被覆する下部カバーの構造について、図１２及び図１８〜図２３を参照しながら説明する。すなわち、本実施形態の作業車Ａは、下部カバーとして、図１２に示すように、前記した左側前下部カバー２０２と、左側後下部カバー２０４と、右側前下部カバー２０８と、右側後下部カバー２１０と、を分割構成して旋回台１２に備えている。各カバー２０２,２０４,２０８,２１０は、それぞれ前後方向に延伸させた帯状に形成するとともに、旋回台１２の周端縁部に沿わせて円弧状に湾曲させて形成している。左側前下部カバー２０２と右側前下部カバー２０８、また、左側後下部カバー２０４と右側後下部カバー２１０は、型共用のトリムラインを変更することにより、それぞれ左右線対称に成形可能として、成形加工コストを低減化している。
【００５２】
旋回台１２は、図４に示すように、その周端縁部の左右側前部と左右側中途部と左側後部に、それぞれカバー連結片１２ａ,１２ｂ,１２ｃを設けている。左右側前部のカバー連結片１２ａ,１２ａには、左・右側前下部カバー２０２,２０８の中途部を連結している。左右側中途部のカバー連結片１２ｂ,１２ｂには、図１９及び図２０に示すように、左・右側前下部カバー２０２,２０８の後端部２０３,２０９と、左・右側後下部カバー２０４,２１０の前端部２０５,２１１と、を内外側に重合状態に配置して、連結ボルト２２２により、これらを横断貫通状に共締めして連結している。左側後部のカバー連結片１２ｃには、左側後下部カバー２０４の中途部を連結している。各カバー連結片１２ａ,１２ｂ,１２ｃには、ナット２２０を連設し、各ナット２２０に連結ボルト２２２を螺着することで、旋回台１２に各カバー２０２,２０４,２０８,２１０を着脱自在に取り付けている（図１９及び図２０参照）。
【００５３】
上記のように、前後に分割して形成した左（右）側前・後下部カバー２０２（２０８）,２０４（２１０）は、端部同士を共用して締結することで、片側だけを取り外し可能としている。そのため、内部部品のメンテナンス時、必要部位だけを取り外すことができる。また、各下部カバー２０２,２０４,２０８,２１０は、型を共用して前後分割するパーツを作成する構造となしているため、部品共用化による作業工数と部品コストの低減化を実現することができる。
【００５４】
左側後上部カバー２１６は、図２１に示すように、旋回台１２に設けたカバー枢支体２３０に前端部２１９を枢支して、後端部側を左右方向に開閉自在となしている。そして、左側後上部カバー２１６と左側後下部カバー２０４により、旋回台１２の左側後部に配置した工具箱２４０の左側外方を閉塞している。工具箱２４０は、上面開口箱型の工具箱本体２４２と、工具箱本体２４２の上面を開閉蓋する工具蓋体２４４と、から形成している。工具蓋体２４４は、左側後上部カバー２１６を開放することで、開閉蓋することができる。そのため、工具箱本体２４２内に収容した工具を簡単に出し入れすることができる。また、左側後上部カバー２１６を開放するとともに、左側後下部カバー２０４を取り外すことで、旋回台１２から工具箱２４０を楽に取り外すことができる。
【００５５】
右側後下部カバー２１０は、図２２及び図２３に示すように、熱交換部１８の下部を右側外方から被覆している。熱交換部１８の下部には、バッテリーＢａを配設している。バッテリーＢａは、旋回台１２の上に着脱自在に載置しており、右側外方から被覆している右側後下部カバー２１０を取り外すことで、楽にメンテナンスすることができるとともに、バッテリーＢａを取り替えることもできる。つまり、バッテリーＢａのメンテナンス性と取り替え性に優れる。
【００５６】
従来、特許第4048260号には、カバーをプレス成型する場合に、長尺ものは型が大きくなりすぎて、成型機が限定されるため、カバーを分割して型を共用できるような形状にすることで、メンテナンス性を向上させる技術が記載されているが、メンテナンス性については具体的記載がない。
【００５７】
実開昭63−172781には、ガードが一部品で構成された構造が開示されているが、バッテリーやその他の内部部品のメンテナンス時には、本機片側に位置するガード一式を丸ごと外す必要がある。本機の片側の側面をガードしている為、メンテナンス頻度が高い部品は、ガードをその都度外す必要がある。
【００５８】
このように、カバーもしくはガードをプレス成型する場合に、長尺ものは型が大きくなりすぎて、成型機が限定されるため、本実施形態では、分割をしても型を共用できるような形状にしている。
【００５９】
［バッテリーの電源の起動・停止スイッチの配設構造の説明］
次に、バッテリーＢａの電源の起動・停止スイッチ２５０の配設構造について、図２４及び図２５を参照しながら説明する。すなわち、旋回台１２の右側前端部には、図２４及び図２５に示すように、前面開口の収容凹部２６０を形成している。収容凹部２６０は、旋回台の中央前端部に取り付けたブラケット支持体２０の右側方で、かつ、タンク収容部１５の前方に配設している。駆動・停止スイッチ２５０は、スイッチ本体２５２と、スイッチ本体２５２を前後方向の軸線廻りに上下方向に回動操作する操作片２５４と、を具備している。スイッチ本体２５２は、収容凹部２６０の背面に取り付けている。操作片２５４は、収容凹部２６０内に完全に（全体が）収容された状態に配設している。そして、収容凹部２６０内で操作片２５４上下方向に回動操作することで、スイッチ本体２５２を接続・切断可能としている。操作片２５４は、スイッチ本体２５２に着脱自在に連動連結している。収容凹部２６０は、その前上方を旋回台１２から前方へ水平に延設した庇部２５６により覆っている。
【００６０】
このように構成した駆動・停止スイッチ２５０は、掘削作業部２を取り付けるブラケット支持体２０に隣接している旋回台１２の箇所に設置しているため、掘削作業部２に遮られて直接追突されにくい構造となる。しかも、駆動・停止スイッチ２５０は、収容凹部２６０内に配設されているため、上記構造に加えてより直接追突されにくい構造となり、破損や誤作動の憂いが一層少なくなる。駆動・停止スイッチ２５０は、操作片２５４を上下方向に回動操作することによりバッテリーＢａの電源の起動・停止を行うようにしているため、押しボタン式に比べ誤作動の憂いが少なくなる。駆動・停止スイッチ２５０によりバッテリーＢａの電源を停止させた際には、スイッチ本体２５２から操作片２５４を取り外しておくことができるため、悪戯で駆動・停止スイッチ２５０が操作されるのを防止することができる。収容凹部２６０は、その前上方を庇部２５６により覆っているため、収容凹部２６０内には雨水等が浸入し難い。そのため、駆動・停止スイッチ２５０が雨水等によって誤動作や故障するのを防止することができる。
【００６１】
従来、特開平9−315349には、トラクタ車体の前端部に搭載されたバッテリーの上部に、電源オン・オフスイッチが設置された構造が開示されている。ところが、電源オン・オフスイッチは、トラクタ車体の前端部に搭載されたバッテリーの上部に設置されているため、電源オン・オフスイッチにより、バッテリーの電源を停止する際には、バッテリーを被覆しているボンネットを開放するという作業が必要であることから、火災等により速やかにバッテリー電源を停止する必要がある場合には、ボンネットを開放する手間球が弊害になっている。
【００６２】
また、ヨーロッパで作業車両が保険に入る時、車両の構造を規定するに際し、しばしば従うことが求められるスウェーデンの防火協会が発行している「車と森林用機械の火災抑制のためのガイドライン」では、停止装置は容易にアクセスできることを求めている。
【００６３】
この要望にこたえるため、ヨーロッパ市場では、オプションで電源オン・オフスイッチをバックホーの側面部やバックホーの前部に突設する場合がある。ところが、これらのように電源オン・オフスイッチを突設した場合、追突された際や木の枝等に引っ掛かった際に電源オン・オフスイッチの破損や誤作動の原因になる。
【符号の説明】
【００６４】
Ａ  作業車
Ｓ  収容空間
１２  旋回台
１３  運転部
１４  原動機部
１５  タンク収容部
８０  燃料油タンク
９０  自動給油装置
１００  作動油タンク
【図１】
0006534955.tif 000002
【図２】
0006534955.tif 000003
【図３】
0006534955.tif 000004
【図４】
0006534955.tif 000005
【図５】
0006534955.tif 000006
【図６】
0006534955.tif 000007
【図７】
0006534955.tif 000008
【図８】
0006534955.tif 000009
【図９】
0006534955.tif 000010
【図１０】
0006534955.tif 000011
【図１１】
0006534955.tif 000012
【図１２】
0006534955.tif 000013
【図１３】
0006534955.tif 000014
【図１４】
0006534955.tif 000015
【図１５】
0006534955.tif 000016
【図１６】
0006534955.tif 000017
【図１７】
0006534955.tif 000018
【図１８】
0006534955.tif 000019
【図１９】
0006534955.tif 000020
【図２０】
0006534955.tif 000021
【図２１】
0006534955.tif 000022
【図２２】
0006534955.tif 000023
【図２３】
0006534955.tif 000024
【図２４】
0006534955.tif 000025
【図２５】
0006534955.tif 000026